(57)【特許請求の範囲】
【請求項１】
複数の電流センサが上部に取付けられる電流センサ取付部と、前記電流センサの信号線をまとめて配線する配線空間部とを備えた電流センサ取付部材であって、
この配線空間部は、前記電流センサ取付部の下方に形成され、信号線の配線方向に対して片側側方となる面が開放されたものであり、
前記電流センサ取付部は、前記電流センサの信号線を通す開口を電流センサ毎に備え、各電流センサの信号線を各開口を通じて下方に引出し、前記配線空間部に収納することを特徴とする電流センサ取付部材。
【請求項２】
設置面に固定される固定部と、この固定部の端部から上方に延びる立上部と、この立上部の端部から水平に延びる前記電流センサ取付部とを備え、立上部の側方を配線空間部としたことを特徴とする請求項１に記載の電流センサ取付部材。
【請求項３】
電流センサ取付部は、前記電流センサを千鳥状に配置する取付孔を備えたものであることを特徴とする請求項１または２に記載の電流センサ取付部材。
【請求項４】
電流センサ取付部は、前記電流センサを電流センサ取付部の端辺から突出させて設置するものであることを特徴とする請求項１〜３の何れかに記載の電流センサ取付部材。
【発明の詳細な説明】
【技術分野】
【０００１】
本発明は、複数の電流センサ取付部を備えた電流センサ取付部材に関するものである。
【背景技術】
【０００２】
例えば分電盤や太陽光発電装置の接続箱においては、複数の電流センサを設けて負荷に流れる電流等を検出することがある。
【０００３】
電流センサを取付ける構造として特許文献１に示されるような電流センサ取付部材がある。この電流センサ取付部材では、各々の電流センサから出線された信号線を纏めて配線する為に、別途配線空間を形成する部材を用いる必要があり、設置スペースが広くなってしまう問題があった。
【先行技術文献】
【特許文献】
【０００４】
【特許文献１】特開２０１３−７４７７５号公報
【発明の概要】
【発明が解決しようとする課題】
【０００５】
従って本発明の目的は上記した従来の問題点を解決し、設置スペースを小さくすることができる電流センサ取付部材を提供することである。
【課題を解決するための手段】
【０００６】
上記の課題を解決するためになされた本発明は、複数の電流センサが上部に取付けられる電流センサ取付部と、前記電流センサの信号線をまとめて配線する配線空間部とを備えた電流センサ取付部材であって、この配線空間部は、前記電流センサ取付部の下方に形成され、信号線の配線方向に対して片側側方となる面が開放されたものであり、前記電流センサ取付部は、前記電流センサの信号線を通す開口を電流センサ毎に備え、各電流センサの信号線を各開口を通じて下方に引出し、前記配線空間部に収納することを特徴とするものである。
【０００７】
なお請求項２のように、設置面に固定される固定部と、この固定部の端部から上方に延びる立上部と、この立上部の端部から水平に延びる電流センサ取付部とを備え、立上部の側方を前記配線空間部とした構造とすることが好ましい。
【０００８】
また請求項３のように、電流センサ取付部は、前記電流センサを千鳥状に配置する取付孔を備えたものであることが好ましい。さらに請求項４のように、電流センサ取付部は、前記電流センサを電流センサ取付部の端辺から突出させて設置するものであることが好ましい。
【発明の効果】
【０００９】
本発明の電流センサ取付部材は、電流センサ取付部と、電流センサの信号線をまとめて配線する配線空間部とを備えたものであり、配線空間部を電流センサ取付部の下方に形成したので、設置スペースを小さくすることができる。さらに、信号線の配線方向に対して片側側方となる面が開放されているので、信号線をまとめる作業を開放部側から行なうことができ、作業性をよくすることができる。
【００１０】
更に本発明によれば、電流センサの設置と同時に信号線を配線空間部に通すことができ、作業性をよくすることができる。
【００１１】
請求項２の発明によれば、簡単な構造により製造コストを低減することができる。
【００１２】
請求項３の発明によれば、異なる列の電流センサ間をより近くに配置することが可能となり、複数の電流センサとその信号線を小さいスペースに配置することができる。
【００１３】
請求項４の発明によれば、電流センサ取付部材を連設した場合でも、電流センサを一定間隔で増設することができる。
【図面の簡単な説明】
【００１４】
【図１】本発明の電流センサ取付部材を組み込んだ太陽光発電装置の接続箱を示す正面図である。
【図２】電流センサ取付部材の斜視図である。
【図３】電流センサを取付けた電流センサ取付部材の上方斜視図である。
【図４】電流センサを取付けた電流センサ取付部材の下方斜視図である
【図５】電流センサ取付部材を連設した状態を示す上面図である。
【図６】使用状態を示す断面図である。
【図７】他の使用状態を示す断面図である。
【発明を実施するための形態】
【００１５】
以下に本発明の実施形態を説明する。
図１は本発明の電流センサ取付部材を組み込んだ太陽光発電装置の接続箱を示す正面図であり、１は筺体、２は太陽光発電パネルに接続される直流開閉器であり、この実施形態では８個が並列に設けられている。本発明の電流センサ取付部材３は直流開閉器２の上方に２個配置されており、全部で８個の電流センサ４が取付けられている。直流開閉器２の一次側に接続された電力線５は電流センサ４を貫通して逆流防止ダイオード６に接続されている。各電流センサ４の信号線７は電流センサ取付部材３の側方から引き出され、計測装置８に入線している。
【００１６】
以下に本発明の電流センサ取付部材３の構造を説明する。図２は電流センサ取付部材３の斜視図である。図示のように、電流センサ取付部材３は金属板を垂直断面がクランク状になるように折り曲げた形状であり、１０は設置面に固定される固定部、１１はこの固定部１０の端部から垂直上方に延びる立上部、１２はこの立上部１１の端部から水平に延びる電流センサ取付部である。この立上部１１の側方、すなわち電流センサ取付部１２の下面が配線空間部１３となっている。
【００１７】
電流センサ取付部１２には、電流センサ４を千鳥状に配置する取付孔１４と、信号線７を通す開口１５と、バンド挿通孔１６とが形成されている。本実施形態では電流センサ取付部１２に４つの電流センサ４が２列に取付けられるので、これらは４組形成されている。
【００１８】
取付孔１４は電流センサ４の裏面に突設された突起部１７を挿入するための孔であり、電流センサ４は突起部１７を取付孔１４に挿入して位置決めされた状態としたうえ、バンド挿通孔１６にバンド２０（図５参照）を挿通して固定される。図２に示すように、端部の電流センサ４のための取付孔１４は電流センサ取付部１２の端辺１８に半円状に形成されている。
【００１９】
電流センサ４は側面下部に信号線引き出し部１９を備えており、そこから下方に引き出された信号線７は開口１５を通じて下方に引き出され、配線空間部１３に収納される。配線空間部１３は、信号線７の配線方向に対して片側側方となる面が開放されたものである。
【００２０】
電流センサ４の信号線７は余裕を持たせた一定の長さであるが、信号線７の接続先である計測装置８までの距離は様々である。このため信号線７の余長を配線空間部１３の内部でまとめる作業が必要となる。本発明の電流センサ取付部材３は配線空間部１３の片側側方が開放されているため、この信号線７のとりまとめ作業を容易に行うことができる。
【００２１】
図５に示されるように、電流センサ４は電流センサ取付部１２の端辺１８から突出させて取付けられるようになっている。その理由は、電流センサ取付部材３を連設したときに電流センサ取付部材３、３どうしを干渉させることなく、電流センサ４を等間隔に配置するためである。
【００２２】
次に、本発明の電流センサ取付部材３の使用手順を説明する。
先ず、電流センサ４の信号線７を電流センサ取付部１２の開口１５を通じて配線空間部１３に入れる。次に電流センサ４の裏面の突起部１７を電流センサ取付部１２の取付孔１４に挿入し、仮固定と位置決めを行なう。次にバンドをバンド挿通孔１６に通し、電流センサ４を固定する。一方の列は信号線７を通す開口１５をバンド挿通孔１６と兼用している。次に電流センサ取付部材３の固定部１０を盤の設置面に固定する。次に配線空間部１３から引き出した信号線７を計測装置８に接続する。最後に、信号線７の余長を配線空間部１３の内部でまとめ、結束バンドなどによって固定する。
【００２３】
このように、本発明の電流センサ取付部材３を用いれば、信号線７の配線作業や取り纏め作業が容易となる。また特許文献１の構造と比べて、各々の電流センサ４から出線された信号線７を纏めて配線する為に、別途配線空間を形成する部材を用いる必要がなく、より設置スペースを小さくすることができると共に、部品点数を抑えることができる。
【００２４】
以上に説明した実施形態では、図６に示すように配線空間部１３の開放されている方向が直流開閉器２とは反対方向、すなわち逆流防止ダイオード６の方向を向くように電流センサ取付部材３を盤に取付けた。しかし図７に示すように電流センサ取付部材３の向きを逆にし、配線空間部１３の開放されている方向が直流開閉器２の方向を向くように取り付けることも可能である。そうすることで、配線空間１３と逆流防止ダイオード６との間に介在する立上部１１により逆流防止ダイオード６から発生する熱が信号線７に伝達することを防ぐことができる。
【００２５】
なお、本発明の電流センサ取付部材３は実施例に示した接続箱に限らず、様々な盤に使用できることはいうまでもない。
【符号の説明】
【００２６】
１  筺体
２  直流開閉器
３  電流センサ取付部材
４  電流センサ
５  電力線
６  逆流防止ダイオード
７  信号線
８  計測装置
１０  固定部
１１  立上部
１２  電流センサ取付部
１３  配線空間部
１４  取付孔
１５  開口
１６  バンド挿通孔
１７  突起部
１８  端辺
１９  信号線引き出し部
２０  バンド
【図１】
0006699922.tif 000002
【図２】
0006699922.tif 000003
【図３】
0006699922.tif 000004
【図４】
0006699922.tif 000005
【図５】
0006699922.tif 000006
【図６】
0006699922.tif 000007
【図７】
0006699922.tif 000008